(57)【要約】【課題】  天窓の設置位置の自由度を向上させることができる天窓構造を提供することを目的とする。【解決手段】  建物１は、天窓ユニット１００と、背面壁部２００とを備える。天窓ユニット１００は、採光面を有する天窓本体１１０、及び、建物１の構造躯体４に支持されると共に天窓本体１１０を支持する天窓フレーム１２０を有する。天窓ユニット１００は、構造躯体４に付加的に取り付けられる。背面壁部２００は、構造躯体４上に立設されて天窓ユニット１００の背面側を覆う。背面壁部２００は、下端部が構造躯体４に載置されて、下端部のみが構造躯体４にロッキング支持される。【選択図】  図３
2014105543.tif 000002
【特許請求の範囲】
【請求項１】
採光面を有する天窓本体、及び、建物本体の躯体に支持されると共に前記天窓本体を支持する天窓フレームを有し、前記躯体に付加的に取り付けられる天窓ユニットと、
前記天窓ユニットの背面側を覆う背面壁部と、
を備え、
前記背面壁部は、下端部が前記躯体に支持され、上端部は直接躯体に支持されない状態で前記躯体から立ち上がっている、
天窓構造。
【請求項２】
前記背面壁部は、前記躯体に支持される壁フレームと、前記壁フレームに取り付けられる壁部とを備え、
前記壁部は、
平板状の壁パネルを１又は複数枚並べて敷設されて前記躯体及び前記壁フレームにロッキング支持される第１壁部と、
前記第１壁部の一方の側端部或いは両側端部に、前記第１壁部に並べて配置されて前記壁フレーム及び前記天窓フレームにロッキング支持される第２壁部と、を備える、
請求項１に記載の天窓構造。
【請求項３】
前記壁フレームは、前記躯体に立設される壁支柱と、前記壁支柱に架設される横架材とを備え、
前記背面壁部の上端部は前記横架材に支持され、
前記天窓フレームは、前記躯体に立設される天窓支柱を備え、
前記天窓本体は前記天窓支柱の上端部によって支持され、
前記天窓本体は、前記天窓フレームに支持された状態で前記背面壁部と対向して設けられ、
前記天窓本体と前記背面壁部との間には充填材が充填される、
請求項２に記載の天窓構造。
【発明の詳細な説明】
【技術分野】
【０００１】
本発明は、建物に設けられる天窓構造に関する。
【背景技術】
【０００２】
近年、屋根から室内に直接採光するために、屋根に天窓を設けることがある。このような天窓を設ける際に、屋根の直下階の下屋の屋上部分を天窓とし、当該天窓を傾斜状に設定した構成が知られている。天窓を傾斜状に設けたものとして、例えば、特許文献１に記載されたものがある。特許文献１には、下屋の屋根を天窓とし、当該天窓の傾斜部上端部側を上階の外壁に接合した天窓が開示されている。
【先行技術文献】
【特許文献】
【０００３】
【特許文献１】特開平０１−２８４６４５号公報
【発明の概要】
【発明が解決しようとする課題】
【０００４】
ところで、住宅のニーズが多様化したことに伴い、上述のように下屋の屋根を天窓とするのみならず、最上階の屋根の一部等の他の部位でもこの種の天窓を設けたいという要望がある。
【０００５】
この点、上記特許文献１に開示された構成においては、外壁に天窓ユニットをあてがう状態で取り付ける構造のために、天窓ユニットをあてがう外壁が存在する場合には何等不都合なく天窓を設置することができるものの、当該外壁等が存在しない部位には天窓を設置できないという問題がある。
【０００６】
そこで本発明は、このような従来技術の有する課題を解決するものであり、天窓の設置位置の自由度を向上させることができる天窓構造を提供することを目的とする。
【課題を解決するための手段】
【０００７】
上記課題を解決すべく、本発明に係る天窓構造は、採光面を有する天窓本体、及び、建物本体の躯体に支持されると共に天窓本体を支持する天窓フレームを有し、躯体に付加的に取り付けられる天窓ユニットと、天窓ユニットの背面側を覆う背面壁部と、を備える。背面壁部は、下端部が躯体に支持され、上端部は直接躯体に支持されない状態で躯体から立ち上がっている。
【０００８】
本発明によれば、背面壁部は、建物本体の躯体から立ち上がった状態で下端部が躯体に支持され、上端部は直接躯体に支持される構成ではないので、背面壁部が載置される躯体さえ存在すれば背面壁部を設置することができる。これにより、背面壁部を設置するための制約が大幅に緩和される。そして、背面壁部に対向した状態で天窓ユニットを設置することで、結果として天窓ユニットの設置位置の自由度を向上させることができる。
【０００９】
また、背面壁部は、躯体に支持される壁フレームと、壁フレームに取り付けられる壁部とを備え、壁部は、平板状の壁パネルを１又は複数枚並べて敷設されて躯体及び壁フレームにロッキング支持される第１壁部と、第１壁部の一方の側端部或いは両側端部に、第１壁部に並べて配置されて壁フレーム及び天窓フレームにロッキング支持される第２壁部と、を備える。
【００１０】
この場合には、天窓ユニットの背部は背面壁部により覆われることとなる。また、背面壁部を、所定のモジュール幅を有する壁パネルから構成される第１壁部と、当該モジュール幅とは異なる幅を有する第２壁部とにより構成することができる。壁フレームと躯体とによって第１壁部をロッキング支持し、壁フレームと天窓フレームとによって第２壁部をロッキング支持し、両壁部が並んだ状態でこれらを敷設することで、背面壁部の幅は壁パネルのモジュール幅の整数倍とは無関係に設定することができる。
【００１１】
また、背面壁部の幅を壁パネルのモジュール幅の整数倍とは無関係に設定することができるので、建物に天窓ユニットを設置する際に、背面壁部の幅の調整を要する場合でも、容易に対応することができる。また、第２壁部は、壁フレームと天窓ユニットの天窓フレームとによってロッキング支持されることとなるので、第２壁部を支持するために新たなフレームを躯体に取り付ける必要がなく、部材の増大を防ぐことができる。
【００１２】
また、壁フレームは、躯体に立設される壁支柱と、壁支柱に架設される横架材とを備え、背面壁部の上端部は横架材に支持され、天窓フレームは、躯体に立設される天窓支柱を備え、天窓本体は天窓支柱の上端部によって支持され、天窓本体は、天窓フレームに支持された状態で背面壁部と対向して設けられ、天窓本体と背面壁部との間には充填材が充填される、ことが好ましい。
【００１３】
この場合には、背面壁部と天窓ユニットの天窓本体とは充填材を介して連結されているのみであり、構造的に略独立した状態とすることができる。これにより、地震時等の加振時に、一方の振動が他方に影響することが抑制され、背面壁部のロッキングと天窓本体の振動とは互いに独立することとなり、天窓本体が背面壁部のロッキング運動を阻害することが低減される。また、充填材を充填することで、天窓本体と背面壁部との間の防水性を確保することができる。
【発明の効果】
【００１４】
本発明によれば、天窓の設置位置の自由度を向上させることができる。
【図面の簡単な説明】
【００１５】
【図１】実施形態に係る建物の天窓周りを示す斜視図である。
【図２】図１の屋根部における天窓の設置位置を示す水平方向の概略断面図である。
【図３】図１の天窓周りを前後方向に切断した場合における縦断面図である。
【図４】図２に示すＡ部周りにおいて背面壁部の設置構造を示す水平方向の断面図である。
【図５】図２に示すＡ部周りを前側から見た場合における天窓ユニット及び背面壁部の内部構造を示す斜視図である。
【図６】図２に示すＡ部周りを後側から見た場合における天窓ユニット及び背面壁部の内部構造を示す斜視図である。
【図７】図３の背面壁部の取り付け構造を示す断面図である。
【図８】図２に示すＢ部周りを後側から見た場合における天窓ユニット及び背面壁部の内部構造を示す斜視図である。
【図９】天窓の設置位置の変形例を示す図である。
【図１０】天窓の設置位置の変形例を示す図である。
【図１１】天窓の設置位置の変形例を示す図である。
【発明を実施するための形態】
【００１６】
以下、図面を参照しつつ、本発明に係る天窓構造を適用した建物の実施形態について詳細に説明する。
【００１７】
図１〜図３に示すように、建物１は、所定階数を有する住宅建物であって、梁及び柱を備えた構造躯体４（図３参照）と、これら梁や柱等に支持された各階の床を形成する床部と、梁や柱に支持されて建物１の屋根を形成する屋根部５と、梁や柱に支持されて建物１の外形を形成する外壁６とを備えている。
【００１８】
建物１の構造躯体４は、基礎から立ち上がる複数本の柱と、隣り合う柱間に架設される複数本の梁とを備えてなるいわゆるラーメン構造を構成している。床部や屋根部５、外壁６は、軽量気泡コンクリート（ＡＬＣ）のパネルを用いて形成される。
【００１９】
屋根部５は、陸屋根となっている。また、屋根部５の外周縁には、パラペット７が設けられている。屋根部５は、軽量気泡コンクリートの屋根パネル５１を敷設して屋根面を形成し、当該屋根面上に断熱材５２及び防水シート５３を敷設して形成される。
【００２０】
また、当該屋根部５の角部には、天窓１０が設けられる。天窓１０は、建物１の屋根部５を受ける梁に付加的に取り付けられる。なお、「付加的に」とは、当該天窓を設けずとも建物として成立するものであって、施主の要望等により適宜設置可能とするもので、天窓の有無が建物本体の躯体に直接的に影響を与えないことをいう。天窓１０は、天窓ユニット１００と、背面壁部２００とを備えている。天窓ユニット１００は、採光面を備える天窓本体１１０を有している。天窓本体１１０は、水平方向に対して傾斜している。天窓１０は、天窓本体１１０の低位側の縁部が、建物の外壁６の延長線上に位置するように設けられ、天窓本体１１０の高位側の縁部は、屋根部５上に立設される。
【００２１】
以下、方向を示す場合、天窓本体１１０の下り傾斜面の低位側を「前」、下り傾斜面の高位側を「後」として説明する。即ち、図３における左側を「前」、右側を「後」とする。
【００２２】
背面壁部２００は、天窓ユニット１００の後ろ側（背面側）の位置に立設され、天窓ユニット１００の後ろ側面を覆う。即ち、天窓本体１１０の高位側の縁部と、背面壁部２００とが対向する。天窓ユニット１００の前側面は、前壁６ａによって覆われ、側面は側壁６ｂによって覆われている。前壁６ａと側壁６ｂとは、コーナー壁部６ｃによって連結される。コーナー壁部６ｃは、天窓ユニット１００の前側の角部に配置され、コーナー壁部６ｃに前壁６ａ及び側壁６ｂが接続される。背面壁部２００は、側壁６ｂに対して勝つように配置される。即ち、側壁６ｂの小口面に背面壁部２００が対向する。このように、側壁６ｂを背面壁部２００で受けるように側壁６ｂと背面壁部２００の取り合いを納めるため、側壁６ｂの壁厚分だけ、天窓ユニット１００の幅方向にモジュールズレが生じる。
【００２３】
図３に示すように、建物１の構造躯体４は、天窓１０の前側を支持する第１梁４１と、天窓１０の後ろ側を支持する第２梁４２とを含んで構成される。第１梁４１及び第２梁４２は、天窓１０の幅方向（長手方向）に沿って延在している。天窓本体１１０の下方側の空間には、第１梁４１と第２梁４２とをつなぐ小梁は設けられていない。これにより、天窓１０の階下の居室から、天窓１０へのヌケを確保することができる。
【００２４】
次に、背面壁部２００の構成について説明する。図４〜図７に示すように、背面壁部２００は、壁フレーム２１０と、第１壁部２２１と、第２壁部２２２とを含んで構成される。壁フレーム２１０は、壁支柱２１１と、壁横架材２１２とを備える。
【００２５】
壁支柱２１１は、予め定められた建物１のモジュール毎に第２梁４２上に複数立設され、下端部が第２梁４２にボルト止めされる。壁支柱２１１の下端部には、剛床金物２１１ａが設けられる。剛床金物２１１ａは、屋根部５を形成する複数枚の軽量気泡コンクリートのパネルを、構造力学的に一体化させる公知の剛床機構を実現するために用いられる。
【００２６】
壁横架材２１２は、複数の壁支柱２１１に亘って、壁支柱２１１の上端に取り付けられる長尺状のアングル材である。壁横架材２１２は、最も外側に立設された壁支柱２１１よりも外側に突出する突出部２１２ａを有している。
【００２７】
第１壁部２２１は、複数の第１壁パネル２２１ａを含んで構成される。第１壁パネル２２１ａは、壁支柱２１１の間にそれぞれ配置される。第１壁パネル２２１ａは、所定のモジュール幅を有するパネルであり、軽量気泡コンクリートにより形成される。図７に示すように、第１壁パネル２２１ａの上端は、壁横架材２１２と、壁横架材２１２にネジ２１４により取り付けられたアングル状の固定片２１３とによって第１壁パネル２２１ａの前側面及び後ろ側面が挟み込まれ、壁横架材２１２にロッキング支持される。
【００２８】
第１壁パネル２２１ａの下端は、第２梁４２に取り付けられた壁受け部材４４に載置され、壁受け部材４４にロッキング支持される。具体的には、壁受け部材４４には、上方に向けて延びる係止片４４ａが設けられている。第１壁パネル２２１ａは、係止片４４ａの前側面に当接される。また、第１壁パネル２２１ａの下端部には、第１壁パネル２２１ａの後ろ側面に沿うように挟込片４５がボルト４６によって取り付けられる。なお、ボルト４６は、第１壁部２２１の前側面から後ろ側面に向かって、第１壁部２２１に設けられた貫通孔に差し込まれる。そして、第１壁部２２１の後ろ側面から突出するボルト４６の先端部分に挟込片４５及びナット４８が取り付けられる。壁受け部材４４上に第１壁パネル２２１ａが載置された状態で、挟込片４５と第１壁部２２１の後ろ側面とによって係止片４４ａを挟み込むことで、第１壁パネル２２１ａが壁受け部材４４にロッキング支持される。
【００２９】
図４〜図６に示すように、背面壁部２００における、外壁６に接続される側（図２におけるＡ部周り）の端部の下方側には、パラペット７を形成するための金物７ａや板部材７ｂが入り込んでいる。このため、背面壁部２００における外壁６に接続される側の端部には、第２壁部２２２が配置される。第２壁部２２２は、天窓ユニット１００の外周を形成する側壁６ｂの小口面に対向する幅を有するパネル状の部材であり、軽量気泡コンクリートにより形成される。
【００３０】
第２壁部２２２は、パラペット７等との干渉を避けるために、第１壁パネル２２１ａよりも上下方向の長さが短く形成される。第２壁部２２２の側方最外縁部は側壁６ｂの外側表面に一致している。第２壁部２２２は、金物７ａに載置される。第２壁部２２２の上端は壁横架材２１２の突出部２１２ａに係合し、第１壁パネル２２１ａの上端と同様の構成で、壁横架材２１２の突出部２１２ａにロッキング支持される。これにより、第１壁部２２１の上端と第２壁部２２２の上端とは、同じ高さ位置で壁横架材２１２にロッキング支持される。第２壁部２２２の下端部は、後述する天窓ユニット１００の壁受け部材１４４にロッキング支持される。
【００３１】
図８に示すように、背面壁部２００における、外壁６に接続されない側の端部（図２におけるＢ部周り）の下方には、パラペット７が設けられていない。従って、外壁６に接続されない側の端部に第２壁部２２３を設ける場合、第１壁パネル２２１ａと上下方向の長さが同じものを用いる。または、第２壁部２２３として、第１壁パネル２２１ａよりも上下方向の長さが短い第２壁部２２２と同じものを用いる場合には、第２壁部２２３の下方に高さ調整部材を配置してもよい。この第２壁部２２３についても、上端は壁横架材２１２の突出部２１２ａにロッキング支持され、下端は天窓ユニット１００の壁受け部材１４４にロッキング支持される。
【００３２】
このように、第１壁部２２１が、壁フレーム２１０と第２梁４２とロッキング支持され、第２壁部２２２が、壁フレーム２１０と壁受け部材１４４が設けられる天窓フレーム１２０とにロッキング支持される。また、背面壁部２００は、側壁６ｂに対して勝つように配置される。即ち、側壁６ｂの小口面に背面壁部２００が対向する。これにより、側壁６ｂが、第１壁部２２１及び第２壁部２２２の並び方向に突出しない構成となるので、背面壁部２００のロッキングが側壁６ｂに妨げられることがなく、背面壁部２００は地震の揺れに良好に対応することができる。
【００３３】
次に、天窓ユニット１００の構成について説明する。図１、図３〜図６に示すように、天窓ユニット１００は、天窓本体１１０と、天窓フレーム１２０とを含んで構成される。図１及び図３に示すように、天窓本体１１０は、天窓フレーム１２０によって支持される。天窓本体１１０は、採光面となるガラス面部１１１と、枠部１１２とを含んで構成される。ガラス面部１１１は、モジュールに一致した幅を有する。枠部１１２は、ガラス面部１１１の外周を包囲する。枠部１１２は所定の幅を有しており、天窓ユニット１００を囲う壁部（前壁６ａ、側壁６ｂ及び背面壁部２００）とのモジュールズレが調整される。ガラス面部１１１と枠部１１２との間には、水密をとるためのパッキン部が設けられる。
【００３４】
天窓フレーム１２０は、壁フレーム２１０に対向して設けられると共に、背面壁部２００の壁フレーム２１０から独立して設けられる。天窓フレーム１２０は、背面壁部２００の前側（第１面側）に対向して設けられる天窓本体１１０を支持する。天窓フレーム１２０は、前フレーム１３０と、後フレーム１４０と、斜行材１５０とを含んで構成される。前フレーム１３０は、天窓本体１１０の前側を支持する。後フレーム１４０は、天窓本体１１０の後ろ側を支持する。斜行材１５０は、前フレーム１３０の上端と後フレーム１４０の上端との間に架設される。
【００３５】
図３に示すように、前フレーム１３０は、立上り部１３１と、横架材１３２とを含んで構成される。立上り部１３１は、第１梁４１の上面に取り付けられる。横架材１３２は、立上り部１３１上に設けられる。横架材１３２は、天窓本体１１０の前側の縁部に沿って延在し、天窓本体１１０の枠部１１２が取り付けられる。
【００３６】
第１梁４１には、前側に向かって突出する壁受け部材１３３が取り付けられる。壁受け部材１３３には、上方に向けて延びる係止片１３３ａが設けられる。係止片１３３ａは、前壁６ａの後ろ側面に当接する。立上り部１３１の上部には、前側に向かって延び、前壁６ａの後ろ側面に当接する壁支持部材１３４が設けられる。前壁６ａには、前壁６ａの後ろ側面に沿うように挟込片１３５がボルト１３６によって取り付けられる。挟込片１３５と前壁６ａの後ろ側面とによって壁支持部材１３４を挟み込むことで、前壁６ａが立上り部１３１にロッキング支持される。
【００３７】
第２梁４２のウェブには、第１梁４１側に向けて突出し、後フレーム１４０を支持する複数の受け部材４３が取り付けられる。受け部材４３の上端部は、第２梁４２と同じ高さ位置に設定されており、該上端部には後フレーム１４０が支持されている。
【００３８】
後フレーム１４０は、背面壁部２００に対向して配置される。後フレーム１４０は、天窓支柱１４１と、横架材１４２及び１４３と、壁受け部材１４４と、支持部材１４６とを含んで構成される。横架材１４３は、複数の受け部材４３に亘って、受け部材４３の上端部に架設される。天窓支柱１４１は、横架材１４３上に複数立設される。横架材１４２は、複数の天窓支柱１４１に亘って、天窓支柱１４１の上端に取り付けられる。横架材１４２上には、支持部材１４６が取り付けられ、支持部材１４６により天窓本体１１０の枠部１１２が支持される。
【００３９】
図４〜６、図８に示すように、壁受け部材１４４は、後フレーム１４０に２つ設けられ、第２壁部２２２の前側面（第１面）と、第２壁部２２３の前側面（第１面）とをそれぞれ受ける。図５及び図６に示すように、第２壁部２２２を受ける壁受け部材１４４は、アングル形状を有し、第２壁部２２２に最も近い天窓支柱１４１に取り付けられる。第２壁部２２２は、第２壁部２２２の後ろ側面（第２面）から前側面（第１面）に向かって差し込まれたボルト１４５によって壁受け部材１４４にロッキング支持される。
【００４０】
一方、図８に示すように、第２壁部２２３を受ける壁受け部材１４４は、アングル形状を有し、第２壁部２２３に最も近い天窓支柱１４１に取り付けられる。第２壁部２２３は、第２壁部２２３の後ろ側面（第２面）から前側面（第１面）に向かって差し込まれたボルト１４５によって壁受け部材１４４にロッキング支持される。
【００４１】
第２壁部２２２及び第２壁部２２３が、壁受け部材１４４によってロッキング支持される位置は、パラペット７の上端よりも高い位置となっている。これにより、屋根部５に水が溜まったとしても、第２壁部２２２及び第２壁部２２３が壁受け部材１４４によってロッキング支持される位置まで水位が上昇しない。このため、壁受け部材１４４等の錆の発生や、第２壁部２２２及び第２壁部２２３にボルト１４５を通すために設けた貫通孔を通じて、室内側へ水が浸入することを防止できる。
【００４２】
斜行材１５０は、側壁６ｂの上端をロッキング支持する。なお、側壁６ｂは、第１梁４１と第２梁４２との間に架け渡された小梁（図示省略）に載置され、第２梁４２と第１壁部２２１とにおけるロッキング支持と同様の構成により、小梁にロッキング支持される。
【００４３】
天窓本体１１０の後ろ側端部と、背面壁部２００との間には、充填剤２３０が充填される。
【００４４】
また、図３に示すように、屋根部５に設けられた防水シート５３の端部は、第１壁部２２１の各第１壁パネル２２１ａを壁受け部材４４にロッキング支持する際に用いた挟込片４５よりも高い位置まで延び、第１壁部２２１、第２壁部２２２及び２２３の後ろ側面に固定されている。従って、第１壁パネル２２１ａを受ける壁受け部材４４、及び、第２壁部２２２を受ける金物７ａ等は、防水シート５３及び背面壁部２００等によって形成される防水ラインよりも内側（室内側）に位置しており、錆等による劣化が低減される。
【００４５】
また、図３に示すように、建物１には、ガラス面部１１１直下の空間において天窓フレーム１２０等を覆い隠すように、内装材１６０が設けられる。また、図示は省略するが、内装材１６０と第２梁４２及び背面壁部２００との間や、内装材１６０と第１梁４１及び前フレーム１３０との間等、適宜の位置に断熱材を設けることができる。
【００４６】
本実施形態は以上のように構成され、背面壁部２００は、構造躯体４から立ち上がった状態で下端部のみが構造躯体４に支持され、上端部等他の部位は構造躯体４に支持される構成ではないので、背面壁部２００が載置される構造躯体４さえ存在すれば背面壁部２００を設置することができる。これにより、背面壁部２００を設置するための制約が大幅に緩和される。そして、背面壁部２００に対向した状態で天窓ユニット１００を設置することで、結果として天窓１０の設置位置の自由度を向上させることができる。
【００４７】
また、天窓ユニット１００の後ろ側（背部）は、背面壁部２００により覆われることとなる。この背面壁部２００は、所定のモジュール幅を有する第１壁パネル２２１ａから構成される第１壁部２２１と、当該モジュール幅とは異なる幅を有する第２壁部２２２とにより構成される。壁フレーム２１０と構造躯体４とによって第１壁部２２１をロッキング支持し、壁フレーム２１０と天窓フレーム１２０とによって第２壁部２２２及び第２壁部２２３をロッキング支持し、壁部２２１、２２２及び２２３が並んだ状態でこれらを敷設することで、背面壁部２００の幅は第１壁パネル２２１ａのモジュール幅の整数倍とは無関係に設定することができる。
【００４８】
また、背面壁部２００の幅を第１壁パネル２２１ａのモジュール幅の整数倍とは無関係に設定することができるので、建物１に天窓ユニット１００を設置する際に、背面壁部２００の幅の調整を要する場合でも、容易に対応することができる。また、第２壁部２２２及び２２３は、壁フレーム２１０と天窓フレーム１２０とによってロッキング支持されることとなるので、第２壁部２２２及び２２３を支持するために新たなフレームを構造躯体４に取り付ける必要がなく、部材の増大を防ぐことができる。
【００４９】
また、天窓本体１１０と背面壁部２００との間には充填材２３０が充填される。この場合、背面壁部２００と天窓ユニット１００の天窓本体１１０とは充填材２３０を介して連結されているのみであり、構造的に略独立した状態とすることができる。これにより、地震時等の加振時に、一方の振動が他方に影響することが抑制され、背面壁部２００のロッキングと天窓本体１１０の振動とは互いに独立することとなり、天窓本体１１０が背面壁部２００のロッキング運動を阻害することが低減される。また、充填材２３０を充填することで、天窓本体１１０と背面壁部２００との間の防水性を確保することができる。
【００５０】
以上、本発明の一実施形態について説明したが、本発明は、上記実施形態に限定されるものではない。例えば、図９に示すように、建物１Ａの一部が外側に向けて突出している場合には、突出した部位の天井部に、天窓１０を設け、天窓ユニット１００の後ろ側に背面壁部２００を設けてもよい。また、図１０に示すように、建物１Ｂの屋根部５の縁部に天窓ユニット１００の前側端部のみが沿うように、天窓１０を屋根部５上に配置してもよい。
【００５１】
また、上記図３等を用いて説明した実施形態では、天窓ユニット１００の前側端部が建物１の屋根部５の前側の縁部に沿うように、屋根部５に天窓１０を設けるものとした。これに対し、図１１に示すように、天窓１０を建物１Ｃの屋根部５の縁部から離れた位置に配置してもよい。この場合、天窓ユニット１００の前側の端部にも、後ろ側と同様に屋根部５が接続されることとなる。このように、梁が存在すれば、屋根部５のいずれの位置にも背面壁部２００を立設することができ、背面壁部２００に隣接して天窓ユニット１００を設けることができる。従って、天窓１０の設置位置の自由度が向上する。
【００５２】
なお、上述した天窓ユニット１００の構成や、背面壁部２００の構成、建物１の構成等は一例であり、本発明の趣旨を逸脱しない範囲で、適宜設計変更が可能である。例えば、第１壁部２２１を構成する第１壁パネル２２１ａを複数枚設けるものとしたが、１枚であってもよい。
【符号の説明】
【００５３】
１…建物、４…構造躯体（躯体）、１００…天窓ユニット、１１０…天窓本体、１２０…天窓フレーム、１４１…天窓支柱、１４４…壁受け部材、２００…背面壁部、２１０…壁フレーム、２１１…壁支柱、２１２…壁横架材（横架材）、２２１…第１壁部（壁部）、２２１ａ…壁パネル、２２２，２２３…第２壁部（壁部）、２３０…充填剤。
【図１】
2014105543.tif 000003
【図２】
2014105543.tif 000004
【図３】
2014105543.tif 000005
【図４】
2014105543.tif 000006
【図５】
2014105543.tif 000007
【図６】
2014105543.tif 000008
【図７】
2014105543.tif 000009
【図８】
2014105543.tif 000010
【図９】
2014105543.tif 000011
【図１０】
2014105543.tif 000012
【図１１】
2014105543.tif 000013